(57)【要約】【課題】  従来の人手による作業をできるだけ少なくし、作業時間の短縮を図り、また、作業ミスを少なくすることができるノード情報自動設定装置及びノード情報自動設定システムを提供する。【解決手段】  複数のノードのそれぞれが保持するノード識別情報と、複数のノード間で送信される伝送データの送信関係を示した伝送関係情報とを記憶し、新たなノードが追加された場合は、追加されたノードのノード識別情報と、記憶されている伝送関係情報とを比較し、複数のノードのうち、追加されたノードが伝送データの送信先となっているノードを判別し、判別したノードが保持する伝送データ単位情報に、追加されたノードを伝送データの送信先として設定する。【選択図】    図１
2005295403.tif 000002
【特許請求の範囲】
【請求項１】
ネットワーク上で識別可能なノード識別情報と、前記ネットワークに接続上で送信される伝送データ単位の情報である伝送データ単位情報をそれぞれが保持する複数のノードと、この複数のノードのうちの１つ以上を管理ノードとして設定されたノード情報自動設定装置とが前記ネットワーク上に接続されたノード情報自動設定システムであって、
前記ノード情報自動設定装置は、前記複数のノードのそれぞれが保持するノード識別情報と、前記複数のノード間で送信される伝送データの送信関係を示した伝送関係情報とを記憶する記憶手段と、
当該ノード情報自動設定システムに新たなノードが追加された場合は、追加されたノードのノード識別情報と、前記記憶手段に記憶されている伝送関係情報とを比較して、前記複数のノードのうち、前記追加されたノードが伝送データの送信先となっているノードを判別する判別手段と、
前記判別手段によって判別されたノードが保持する前記伝送データ単位情報に対し、前記追加されたノードを伝送データの送信先として設定する設定手段と、
を有することを特徴とするノード情報自動設定システム。
【請求項２】
ネットワーク上で識別可能なノード識別情報と、前記ネットワークに接続上で送信される伝送データ単位の情報である伝送データ単位情報をそれぞれが保持する複数のノードと、この複数のノードのうちの１つ以上を管理ノードとして設定されたノード情報自動設定装置とが前記ネットワーク上に接続されたノード情報自動設定システムであって、
前記ノード情報自動設定装置は、前記複数のノードのそれぞれが保持するノード識別情報と、前記複数のノード間で送信される伝送データの送信関係を示した伝送関係情報とを記憶する記憶手段と、
当該ノード情報自動設定システムから任意のノードが削除された場合は、削除されたノードのノード識別情報と、前記記憶手段に記憶されている伝送関係情報とを比較して、前記複数のノードのうち、前記削除されたノードが伝送データの送信先となっているノードを判別する判別手段と、
前記判別手段によって判別されたノードが保持する前記伝送データ単位情報に対し、前記削除されたノードを伝送データの送信先から削除する削除手段と、
を有することを特徴とするノード情報自動設定システム。
【請求項３】
ネットワークに接続され、当該ネットワーク上で識別可能なノード識別情報、および前記ネットワーク上で送信される伝送データ単位の情報である伝送データ単位情報をそれぞれが保持する複数のノードのうちの１つ以上を管理ノードとして設定されたノード情報自動設定装置であって、
前記複数のノードのそれぞれが保持するノード識別情報と、前記複数のノード間で送信される伝送データの送信関係を示した伝送関係情報とを記憶する記憶手段と、
前記ネットワークに新たなノードが追加された場合は、追加されたノードのノード識別情報と、前記記憶手段に記憶されている伝送関係情報とを比較して、前記複数のノードのうち、前記追加されたノードが伝送データの送信先となっているノードを判別する判別手段と、
前記判別手段によって判別されたノードが保持する前記伝送データ単位情報に対し、前記追加されたノードを伝送データの送信先として設定する設定手段と、
を有することを特徴とするノード情報自動設定装置。
【請求項４】
ネットワークに接続され、当該ネットワーク上で識別可能なノード識別情報、および前記ネットワーク上で送信される伝送データ単位の情報である伝送データ単位情報をそれぞれが保持する複数のノードのうちの１つ以上を管理ノードとして設定されたノード情報自動設定装置であって、
前記複数のノードのそれぞれが保持するノード識別情報と、前記複数のノード間で送信される伝送データの送信関係を示した伝送関係情報とを記憶する記憶手段と、
前記複数のノードのうち、任意のノードが削除された場合は、削除されたノードのノード識別情報と、前記記憶手段に記憶されている伝送関係情報とを比較して、前記複数のノードのうち、前記削除されたノードが伝送データの送信先となっているノードを判別する判別手段と、
前記判別手段によって判別されたノードが保持する前記伝送データ単位情報に対し、前記削除されたノードを伝送データの送信先から削除する削除手段と、
を有することを特徴とするノード情報自動設定装置。
【請求項５】
前記伝送関係情報は、伝送データの送信元と送信先との関係、及び伝送データのノード識別情報についての対応関係を示すテーブル情報であることを特徴とする請求項３または４に記載のノード情報自動設定装置。
【発明の詳細な説明】
【技術分野】
【０００１】
この発明は、複数のノードがLAN上に接続されたシステムにおけるノードの新規追加・交換・削除や、ノード自体の変更が無い場合のノード内における伝送データ単位の新規追加・相手先変更・削除を行うノード情報自動設定装置及びノード情報自動設定システムに関する。
【背景技術】
【０００２】
従来、ＬＡＮ等のネットワークに接続された複数ノードを有するシステムを管理する方法においては、当該システム内のノードの追加や交換時には、以下のような設定が必要である。
【０００３】
まず、（１）新規追加または交換したノードにシステムでユニークな論理アドレスを割り振る。交換したノードに関しては、交換前の論理アドレスを同一の値を割り振る。（２）新規追加または交換した事により伝送相手先が変更になる伝送データ単位の伝送識別（論理アドレスと、伝送データ単位を識別する番号またはチャンネル番号）を変更する。この伝送識別を変更するノードは、新規追加または交換したノードだけでなく、ノードの新規追加・変更により、伝送データ単位の新規伝送追加・相手の変更となる、他のノードについても行う。
【０００４】
一方、システム内のノードの削除時には、上述した（２）の設定が必要である。すなわち、削除した事により伝送相手先が変更になる伝送データ単位の伝送識別（論理アドレスと、伝送データ単位を識別する番号またはチャンネル番号）を変更する。この伝送識別を変更するノードは、ノードの削除により、伝送データ単位の伝送停止となる、他のノードについても行う（例えば、特許文献１参照）。
【特許文献１】特開平１１−１４３８４３。
【発明の開示】
【発明が解決しようとする課題】
【０００５】
ところが、上述した（１）に関しては、例えばEthernetの場合を例に挙げると、論理アドレスはIPアドレスに相当する。このIPアドレスの割り振りは、従来は、以下のような形態が考えられる。スイッチ類などハードウェアにて設定する場合、HMIを通して設定する場合、管理ノードを通して自動で空きIPアドレスを割り振る場合、等である。
【０００６】
スイッチ類などハードウェアで設定する場合、設定が簡単に目視確認ができるという利点があるが、IPアドレスの桁数が多いので汎用にするため全ての桁をスイッチ類で決めることは、スイッチの数が多くなり、ハードウェアの価格を高くし、また作業時間の増加、設定ミスの増加をまねく。また、ホストIDだけをスイッチで設定する例もあるが、逆に汎用性が無くなる。また、HMIを通して設定することはハードウェアの値段を下げるが、作業時間が増加し、また、ノードの論理アドレス設定を簡単に確認できなくなる。
【０００７】
さらに、従来技術では、空きIPアドレスを割り振るため、ノードの論理アドレスが不定なので、通信を行うためには別な手段により論理アドレスを決定する必要がある。インターネットではこれがURLを使用した技術であるが、高速性・簡易性・廉価を狙った制御システムにおいては、この技術は現実的でない。
【０００８】
また、上述した（２）に関しては、従来は手作業にて個々のノードおよび伝送データ単位毎にHMIを使用して行っており、これは伝送データ単位で伝送する方式は制御システムに用いる方法であるが、（１）の方法が制御システムでは自動化されていないので必然的に（２）の作業も自動化できなかった。
【０００９】
この発明は上記事情に着目してなされたもので、その目的とするところは、従来の人手による作業をできるだけ少なくし、作業時間の短縮を図り、また、作業ミスを少なくすることができるノード情報自動設定装置及びノード情報自動設定システムを提供することにある。
【課題を解決するための手段】
【００１０】
本発明はかかる課題を解決するものであり、本発明は、ネットワーク上で識別可能なノード識別情報と、前記ネットワークに接続上で送信される伝送データ単位の情報である伝送データ単位情報をそれぞれが保持する複数のノードと、この複数のノードのうちの１つ以上を管理ノードとして設定されたノード情報自動設定装置とが前記ネットワーク上に接続されたノード情報自動設定システムであって、前記ノード情報自動設定装置は、前記複数のノードのそれぞれが保持するノード識別情報と、前記複数のノード間で送信される伝送データの送信関係を示した伝送関係情報とを記憶する記憶手段と、当該ノード情報自動設定システムに新たなノードが追加された場合は、追加されたノードのノード識別情報と、前記記憶手段に記憶されている伝送関係情報とを比較して、前記複数のノードのうち、前記追加されたノードが伝送データの送信先となっているノードを判別する判別手段と、前記判別手段によって判別されたノードが保持する前記伝送データ単位情報に対し、前記追加されたノードを伝送データの送信先として設定する設定手段とを有するものである。
【００１１】
したがって本発明は、複数のノードのそれぞれが保持するノード識別情報と、複数のノード間で送信される伝送データの送信関係を示した伝送関係情報とが記憶され、新たなノードが追加された場合は、追加されたノードのノード識別情報と、記憶されている伝送関係情報とが比較され、複数のノードのうち、追加されたノードが伝送データの送信先となっているノードが判別され、判別されたノードが保持する伝送データ単位情報に、追加されたノードを伝送データの送信先として設定される。このため、人手による作業をできるだけ少なくし、作業時間の短縮を図り、また、作業ミスを少なくすることができる。
【発明の効果】
【００１２】
本発明によれば、人手による作業をできるだけ少なくし、作業時間の短縮を図り、また、作業ミスを少なくすることができる。
【発明を実施するための最良の形態】
【００１３】
図１は、本発明の一実施形態に係るノード情報自動設定装置を適用したノード情報自動設定システムの構成を示す模式図である。
【００１４】
本発明のノード情報自動設定システムは、ノード情報自動設定装置としての管理ノード２０と、複数の一般ノード（一般ノード１〜一般ノードｎ）とがＬＡＮ１０等のネットワークに繋がれて構成されている。
【００１５】
また、管理ノード２０及び複数の一般ノードが接続されているＬＡＮ１０上において、やり取りされている伝送データは、図２に示すように、伝送先のノードの情報を記憶する相手ノード情報記憶領域１１、当該伝送データ自身を示す情報を記憶する識別番号記憶領域１２及び、当該伝送データ自身の各種パラメータを記憶する転送パラメータ記憶領域１３を備える。
【００１６】
さらに、複数の一般ノードのうち、例えば、一般ノード１は、図３に示すように、記憶手段３１と制御手段３２とから構成されている。記憶手段３１は、各一般ノードごとに割り振られたユニークなノード識別名を記憶するノード識別名記憶領域３１ａ、当該一般ノード１の物理アドレス情報を記憶する物理アドレス記憶領域３１ｂ及び、当該一般ノード１の論理アドレス情報を記憶する論理アドレス記憶領域３１ｃを備える。制御手段３２は、外部とのデータの授受を行う通信機能部３２ａ、各ノードの識別名を設定するノード識別名設定部３２ｂ、記憶手段３１の各記憶領域にデータを書き込むデータ書き込み処理部３２ｃ、各種属性情報の送信を行う属性送信処理部３２ｄ、一般ノード１を起動する起動処理部３２ｅ、及びデータの間合い受信を行う間合い受信処理部３２ｆを備える。
【００１７】
管理ノード２０は、図４に示すように、記憶手段２１と制御手段２２とから構成されている。記憶手段２１は、当該管理ノード２０自身の識別情報等を記憶するノード情報記憶領域２１ａ、当該管理ノード２０の物理アドレス情報を記憶する物理アドレス記憶領域２１ｂ及び、当該管理ノード２０の論理アドレス情報を記憶する論理アドレス記憶領域２１ｃを備える。制御手段２２は、外部とのデータの授受を行う通信機能部２２ａ、伝送データ等の送信データの送信先等の設定を行うデータ送信設定部２２ｂ、伝送データ等の送信先等のアドレス情報を書き込みアドレス書き込み処理部２２ｃ、伝送データ等の各種属性情報の検索を行う属性検索処理部２２ｄ、各種属性情報の受信を行う属性受信処理部２２ｅ、及びデータの間合い受信を行う間合い受信処理部２２ｆを備える。
【００１８】
また、管理ノード２０のノード情報記憶領域２１ａは、データベースを備えている。このデータベースには、複数の一般ノードのそれぞれに対応するノード情報が記憶されている。例えば図５に示すように、複数の一般ノードに対応するデータは、それぞれノード情報１、ノード情報２・・・として記憶されている。それぞれのノード情報の記憶領域は、例えばノード情報１のように、ノード識別名記憶領域４１、物理アドレス記憶領域４２、及び論理アドレス記憶領域４３を備えている。
【００１９】
なお、上述したノード識別名は、ノードの機能を表す文字列でもいいし、ノードにスイッチを設け、そのスイッチをノード毎に異なる値を設定し、その値をノード識別としても良い。またこの２つを組み合わせ、ノードの機種番号とその機種番号の集合毎に唯一となる番号を組み合わせることもできる。また、一般ノード１の記憶手段３１の論理アドレス記憶領域３１ｃの内容は、ノード製造時には設定されておらず、システムに追加または交換されたときに管理ノード２０より設定される。ノード識別名はノードが追加された時に、追加の手順が始まる前に値を設定する。論理アドレスは、一般ノードに論理アドレスを書き込みに行く前に、システムでユニークになるように割り振られる。物理アドレスは後から得られる。
【００２０】
さらに、管理ノード２０の論理アドレスは、当該管理ノード２０が通信を開始する前に決定されて、記憶手段２１の論理アドレス記憶領域２１ｃに記憶される。物理アドレスは管理ノード２０の製造時に決定して記憶手段２１の物理アドレス記憶領域２１ｂ記憶されている。
【００２１】
また、複数のノードのうち、他のノードの設定情報を持つノードを設定情報保持ノードとしてシステムに１台以上設定する。
【００２２】
次に、システムに新たな一般ノードを追加し、通信を確立するまでの手順について、図６及び図７を参照して説明する。
【００２３】
まず、上記手順を開始する要因は以下の３通り考えられる。
【００２４】
第１は、ＬＡＮ１０に接続された複数の一般ノードの内、例えば、１つの一般ノード
１の起動処理部３２ｅを起動したときに手順を開始する。この後、通信が確立するまで定期的に手順を行う。
【００２５】
第２は、一般ノード１にキーボード等の外部入力手段を設け、この外部入力手段からの入力操作により手順を開始する。
【００２６】
第３は、管理ノード２０が操作されることにより開始する。この場合、例えば、同報通信による属性の問い合わせという形式で行う。
【００２７】
次に、一般ノード１は、上記の要因により、一般ノード１の属性送信処理部３２ｄによって、自身の属性情報を通信機能部３２ａを介して管理ノード２０に送信する。属性情報とはノード識別名記憶領域３１ａに記憶されているノード識別名と、物理アドレス記憶領域３１ｂに記憶されている物理アドレス情報である。管理ノード２０が通信機能部２２ａを介して、一般ノード１の属性情報を属性受信処理部２２ｅによって受信する。管理ノード２０の属性検索処理部２２ｄは、あらかじめ設定されている各一般ノードごとのノード情報（ここではノード１及びノード２）の中から受信した属性情報と一致する情報を検索する。一致する属性情報が見つかった場合、管理ノード２０のアドレス書き込み処理部２２ｃは、見つかった属性情報に対応する一般ノードの論理アドレスを見つかった一般ノードである、例えば一般ノード１の所定の記憶領域に書き込み記憶させる。
【００２８】
この手順までの通信では、物理アドレスか同報を使用して通信が行われるが、以後は論理アドレスを使用して通信がおこなわれる。
【００２９】
論理アドレスが書き込まれた管理ノード２０の所定の記憶領域は、この論理アドレスをデータ送信設定部２２ｂによって、通信機能部２２ａを介して一般ノード１に送信する。この際、管理ノード２０の物理アドレス記憶領域２１ｂに記憶されている管理ノード２０自身の物理アドレスと、管理ノード２０の論理アドレス記憶領域２１ｃに記憶されている管理ノード２０自身の論理アドレスとを付加して送信する。一般ノード１は、通信機能部３２ａを介して、間合い受信処理部３２ｆによって、論理アドレスを受信する。また、データ書き込み処理部３２ｃによって、受信した論理アドレスを一般ノード１の論理アドレス記憶領域３１ｃに書き込み記憶させる。
【００３０】
次に、ＬＡＮ１０上にノード識別名を設定できない一般ノードがある場合は、図７に示すような手順で設定を行う。
【００３１】
まず、ノード識別名を任意に設定できる、設定ノード５０を用意する。この設定ノード５０の物理アドレスまたは論理アドレスは、管理ノード２０からは既知であるとする。この設定ノード５０を用意した場合に、ノード識別名を設定できない一般ノード（例えば一般ノード４９とする）の設定手順は以下のようになる。
【００３２】
まず、手順の開始の要因は前述と同様である。この要因によって、一般ノード４９の属性送信処理部３２ｄは、一般ノード４９自身の物理アドレス記憶領域３１ｂに記憶されている物理アドレスを通信機能部３２ａを介して設定ノード５０に送信する。物理アドレスを受信した設定ノード５０の間合い受信処理部５２ｆは、一般ノード４９のノード識別名を所定の記憶領域に記憶する。
【００３３】
次に、管理ノード２０は、設定ノード５０にアクセスすることにより、設定ノード５０に追加された一般ノード４９のノード識別名を問い合わせる。これ以降の手順は、上述の図６と同様である。
【００３４】
この手順により、ノード識別名を設定できない一般ノードの追加を自動化することができる。特に、一般ノードの交換時にはノード情報を設定する必要が無いので、一般ノードのノード識別名を設定するだけでよく、効率よくノードの設定処理を行うことができる。
【００３５】
次に、ノード間の伝送データ単位で相手先を追加する方法について説明する。
【００３６】
図８は、本発明の一実施形態に係るノード情報自動設定装置を適用したノード情報自動設定システムの構成を示す模式図である。管理ノードとして管理ノードＺ、複数の一般ノードとして、一般ノードＡ、一般ノードＢ、一般ノードＣが、ＬＡＮ１０上に接続されている。これらのノードの名前はノード識別名でもよいし、システムで唯一であるノード識別名と１対１で対応する。本実施形態では、便宜上、管理ノードＺ、一般ノードＡ、一般ノードＢ、一般ノードＣしている。なお、あるノードからの伝送データの送信先が、存在しないノード（送信先ノード）を受信側とする設定がされている場合（例えば、ＬＡＮ１０上に接続されているノードが、管理ノードＺ、一般ノードＡ、一般ノードＣであった場合に、伝送データの送信先として一般ノードＢが設定されている場合）は、送信先ノード（一般ノードＢ）が存在しなくても、送信先ノードを設定しておく。これは、この設定をしておいても、影響を与えないからである。
【００３７】
例えば、管理ノードＺ、一般ノードＡ、及び一般ノードＣ（一般ノードＢは接続されていない）がＬＡＮ１０上に接続されている状態で、新たに一般ノードＢを追加する場合について説明する。図９は、管理ノードＺが自身の記憶手段の所定領域に記憶している伝送関係テーブル（伝送関係情報）を示した模式図である。この伝送関係テーブルは、伝送データの送信元、送信先、及び伝送データ単位の識別番号が対応づけられている。例えば、図９では、識別番号（１）の伝送データの送信元がＡ−１であると、一般ノードＡのＩＸ１が送信元であり、送信先がＺ−１であると、管理ノードＺのＩＸ１として管理ノードＺに送信されることを示す。また例えば、識別番号（２）の伝送データの送信元がＡ−２であると、一般ノードＡのＩＸ２が送信元であり、送信先がＺ−２であると、管理ノードＺのＩＸ２として管理ノードＺに送信されることを示す。
【００３８】
また、管理ノードＺは、図１０に示すように、上述した伝送関係テーブルと、さらに伝送データ単位テーブル（伝送データ単位情報）を記憶する。伝送データ単位テーブルは、管理ノードＺが保持する伝送データの数（図１０では、伝送データＩＸ（インデックス）１〜ＩＸ４の４つ）と、これらのＩＸ１〜ＩＸ４の内、別のノードに送信予定のあるものについては、送信先として宛先情報と、それぞれのＩＸ１〜ＩＸ４に割り当てられた識別番号とがそれぞれ対応づけられている。例えば、図１０では、識別番号（１）のＩＸ１は、宛先情報がないので管理ノードＺが受信する伝送データであることを示し、識別番号（５）のＩＸ４は宛先がＣとして設定されているので一般ノードＣに送信されることを示している。
【００３９】
また、各一般ノードは、それぞれの一般ノードの記憶手段の所定の領域に伝送データ単位テーブルを記憶する。例えば、図１０に示す一般ノードＡの記憶する伝送データ単位テーブルは、識別番号（１）のＩＸ１は、宛先がＺであるので管理ノードＺに送信される伝送データであることを示す。さらに、一般ノードＣの記憶する伝送データ単位テーブルは、識別番号（５）のＩＸ１は、宛先がないので受信する伝送データであることを示す。
【００４０】
以上のような状態で、新たに一般ノードＢを追加された場合は、以下の手順で設定を行う。なお、本実施形態は、管理ノードＺが記憶する伝送関係テーブルには、一般ノードＢについての情報が設定されている場合について説明する。もちろん、一般ノードＢの追加後に又は追加前に、伝送関係テーブルに一般ノードＢに関する情報を追加しても良い。
【００４１】
管理ノードＺは、図１１に示すように、新たに追加された一般ノードＢについての情報を管理ノードＺが記憶する伝送関係テーブルから探す。この際、伝送関係テーブルに設定されているノード名が実際のノード識別名と異なるときは、伝送関係テーブルに記載されているノード識別名に変換する（又は、ノード識別名に変更して古いノード名の情報に上書きする）。そして、管理ノードＺは、伝送関係テーブルに設定されている一般ノードＢの伝送データ単位テーブルに設定する項目を探し出し、一般ノードＢの伝送データ単位テーブルに設定する。
【００４２】
例えば、図１１に示すように、管理ノードＺの伝送関係テーブルに設定されている一般ノードＢの情報としては、「識別番号（３）の伝送データであるＢ−１をＺ−３に送信する」、「識別番号（２）の伝送データであるＢ−３をＺ−２に送信する」、「識別番号（４）の伝送データであるＣ−２をＢ−４に送信する」、及び「識別番号（５）の伝送データであるＺ−４をＢ−２に送信する」、の４つである。これらの情報のうち、「Ｂ−１をＺ−３に送信する」の情報により、一般ノードＢの伝送データ単位テーブルのＩＸ１の宛先をＺとし、識別番号を（３）として設定する。さらに、「Ｂ−３をＺ−２に送信する」の情報により、一般ノードＢの伝送データ単位テーブルのＩＸ３の宛先をＺとし、識別番号を（２）として設定する。さらに、「Ｃ−２をＢ−４に送信する」の情報により、一般ノードＣの伝送データ単位テーブルのＩＸ２の宛先をＢとし、識別番号を（４）として設定する。そして、「Ｚ−４をＢ−２に送信する」の情報により、管理ノードＺの伝送データ単位テーブルのＩＸ４の宛先をＢとし、識別番号を（５）として設定する。
【００４３】
以上のように、一般ノードＢに対して一般ノードＢから送信される伝送データの宛先当の設定を行い、さらに、一般ノードＢが宛先になっている伝送データについて、一般ノードＢ以外のノード（管理ノードＺ、一般ノードＡ、一般ノードＣ）にそれぞれ設定を行う。
【００４４】
また、図１０で、一般ノードＢが追加される前の状態では、管理ノードＺの伝送関係テーブルの伝送関係テーブルの識別番号（５）の伝送データの宛先は、Ｂ−２及びＣ−１であるが、一般ノードＢが追加される前の状態であるので、伝送データ単位テーブル上のＩＸ４での、当該伝送データの宛先は、一般ノードＣとして設定されている。この後、一般ノードＢが追加された場合は、図１１に示した管理ノードＺの伝送データ単位テーブルのＩＸ４での当該伝送データの宛先は、「＊」として、複数の宛先が設定されている（同報送信）。この場合の複数の宛先は、管理ノードＺの伝送関係テーブルに従って、一般ノードＢ及び一般ノードＣである。
【００４５】
以上の伝送データ単位の各ノード間の送受信の関係を模式的に表したのが図１２である。一般ノードＡは、一般ノードＡの伝送データ単位テーブルに設定されているＩＸ１及びＩＸ２の伝送データを保持しており、それぞれの伝送データは、管理ノードＺの伝送関係テーブルに従って、Ｚ−１、Ｚ−２に送信される。一般ノードＢは、一般ノードＢの伝送データ単位テーブルに設定されているＩＸ１、ＩＸ２、ＩＸ３及びＩＸ４の伝送データを保持しており、それぞれの伝送データのうち、ＩＸ１とＩＸ３は、管理ノードＺの伝送関係テーブルに従って、Ｚ−３、Ｚ−２に送信され、ＩＸ２は、管理ノードＺから受信され、ＩＸ４は、一般ノードＣから受信される。一般ノードＣは、一般ノードＣの伝送データ単位テーブルに設定されているＩＸ１及びＩＸ２の伝送データを保持しており、それぞれの伝送データのうち、ＩＸ１は、管理ノードＺの伝送関係テーブルに従って、管理ノードＺから受信され、ＩＸ２は、前述のように一般ノードＢに送信される。管理ノードＺは、管理ノードＺの伝送データ単位テーブルに設定されているＩＸ１、ＩＸ２、ＩＸ３及びＩＸ４の伝送データを保持しており、それぞれの伝送データのうち、ＩＸ１とＩＸ２は、管理ノードＺの伝送関係テーブルに従って、一般ノードＡから受信され、ＩＸ３は、一般ノードＢから受信される。また、ＩＸ４は、管理ノードＺの伝送関係テーブルに従って、一般ノードＢと一般ノードＣの２カ所に同報として送信される（伝送データ単位テーブルでのＩＸ４の宛先には、同報を示す＊が設定されている）。
【００４６】
一方、図１１に示すように、ＬＡＮ１０上に管理ノードＺ、一般ノードＡ、一般ノードＢ、一般ノードＣが設定されている状態で、あるノード、例えば一般ノードＢを削除する（図１０の状態にする）場合は、前述した一般ノードＢを追加する手順と逆の手順を行う。すなわち、一般ノードＢを削除後は、それぞれのノード（管理ノードＺ、一般ノードＡ、一般ノードＣ）の伝送データ単位テーブルを、一般ノードＢが宛先になっている箇所を削除する。
【００４７】
以上の構成とすることにより、人手による作業をできるだけ少なくし、作業時間の短縮を図り、また、作業ミスを少なくすることができる。
【図面の簡単な説明】
【００４８】
【図１】本発明の一実施形態に係るノード情報自動設定装置を適用したノード情報自動設定システムの構成を示す模式図。
【図２】本発明の一実施形態に係る伝送データの構成を示す模式図。
【図３】この発明の一実施形態に係わる一般ノードの１つとして一般ノード１の構成を示した模式図。
【図４】この発明の一実施形態に係わるノード情報自動設定装置としてか管理ノードを示した模式図。
【図５】この発明の一実施形態に係わる管理ノードのデータベースに記憶されている複数の一般ノードのそれぞれに対応するノード情報を示した模式図。
【図６】この発明の一実施形態に係わるノード情報自動設定システムに新たな一般ノードを追加し、通信を確立するまでの手順を示した模式図。
【図７】この発明の一実施形態に係わるノード情報自動設定システムに新たな一般ノードを追加し、通信を確立するまでの手順を示した模式図。
【図８】本発明の一実施形態に係るノード情報自動設定装置を適用したノード情報自動設定システムの構成を示す模式図。
【図９】管理管理ノードが自身の記憶手段の所定領域に記憶している伝送関係テーブルを示した模式図。
【図１０】この発明の一実施形態に係わるノード情報自動設定システムに新たな一般ノードを追加する前の状態で、管理ノードが備える伝送関係テーブル及び伝送データ単位テーブルと、一般ノードが備える伝送データ単位テーブルとを示した模式図。
【図１１】この発明の一実施形態に係わるノード情報自動設定システムに新たな一般ノードを追加後の状態で、管理ノードが備える伝送関係テーブル及び伝送データ単位テーブルと、一般ノードが備える伝送データ単位テーブルとを示した模式図。
【図１２】この発明の一実施形態に係わるノード情報自動設定システムに伝送データ単位の各ノード間の送受信の関係を模式的
【符号の説明】
【００４９】
１０…ＬＡＮ、２０…管理ノード、２１…記憶手段、２１ａ…ノード情報記憶領域、２１ｂ…物理アドレス記憶領域、２１ｃ…論理アドレス記憶領域、２２…制御手段、２２ａ…通信機能部、２２ｂ…データ送信設定部、２２ｃ…込み処理部、２２ｄ…属性検索処理部、２２ｅ…属性受信処理部、２２ｆ…受信処理部、３１…記憶手段、３１ａ…ノード識別名記憶領域、３１ｂ…物理アドレス記憶領域、３１ｃ…論理アドレス記憶領域、３２…制御手段。３２ａ…通信機能部、３２ｂ…ノード識別名設定部、３２ｃ…込み処理部、３２ｄ…属性送信処理部、３２ｅ…起動処理部、３２ｆ…受信処理部
【図１】
2005295403.tif 000003
【図２】
2005295403.tif 000004
【図３】
2005295403.tif 000005
【図４】
2005295403.tif 000006
【図５】
2005295403.tif 000007
【図６】
2005295403.tif 000008
【図７】
2005295403.tif 000009
【図８】
2005295403.tif 000010
【図９】
2005295403.tif 000011
【図１０】
2005295403.tif 000012
【図１１】
2005295403.tif 000013
【図１２】
2005295403.tif 000014